(57)【特許請求の範囲】
【請求項１】
前面に開口を有する灯具ハウジングと、灯具ハウジング内に配置される複数のバルブと、前記バルブからの光を前記灯具ハウジングの前面開口方向に向けて反射させるリフレクタと、前記前面開口に取着されるインナーレンズ及びアウターレンズとを備え、前記インナーレンズにリフレクタからの反射光を一方向に集光する第１カットが施され、前記アウターレンズに前記インナーレンズにより集光された光をその集光方向と直交する方向に拡散する第２カットが施されてなることを特徴とする車両用室内灯。
【請求項２】
前記灯具ハウジングの前面開口は略長方形状で複数のバルブが前面開口の長手方向に離間して配置されてなる請求項１の車両用室内灯。
【請求項３】
前記第１カットはリフレクタからの反射光を複数のバルブを結ぶ直線方向に集光するものである請求項１又は２の車両用室内灯。
【請求項４】
バルブのフィラメントが第１カットにより集光される方向と直交する方向に配置されてなる請求項１、２又は３の車両用室内灯。
【発明の詳細な説明】
【０００１】
【産業上の利用分野】
本発明は自動車等の車両の室内を照明するために用いる室内灯に関する。
【０００２】
【従来の技術】
自動車の車室内を照明する室内灯として従来から種々のものが提案されているが、特に車室内の天井に配置され広い車室内空間を照明する室内灯は車室内の各部位を均等で、かつより高い照度で照明することが要望されている。そこで、従来、高い照度を確保するため光源として蛍光灯を用いた大型の室内灯を車室内の天井に配置したものが提案されている（実開平４−１１９２４１号公報参照）。
【０００３】
また、上記の蛍光灯に代えて複数のバルブ（電球）をハウジング内に配設するとともに前面レンズにリフレクタからの反射光を前面レンズと垂直な方向に屈折させる制御ステップを設けて高照度化を図るものも提案されている（実開平６−６３４３６号公報参照）。
【０００４】
【発明が解決しようとする課題】
しかしながら、上記の蛍光灯を光源として用いる場合には特別な電子回路が必要となり製造コストの上昇を招くものとなり、また、複数のバルブ（電球）を光源として用いた場合には複数のバルブが離間して配置されるため前面レンズから照射される光は各バルブの中心部が最も照度が高く中心部から離れるに従って照度が低くなり、結果として照度分布にムラが生じて均一な照度を得ることが難しいという問題がある。
【０００５】
なお、上記実開平６−６３４３６号公報では前面レンズに設けた制御ステップにより均一な照度を確保しようとしているが、この制御ステップのみではバルブの中心部からの距離の違いによる照度のばらつきに対しては考慮されておらず、前面レンズにおける均一な照度分布を得るには不十分なものである。
【０００６】
また、消灯時には前面レンズから内部のバルブが透き通って見えるものであるため、見栄えが悪いものであった。
本発明の目的は、製造コストの低減を図る一方で前面レンズにおける各部の均一な照度を確保し、更には消灯時における室内灯の外観見栄えを良好なものとする車両用室内灯を提供することにある。
【０００７】
【課題を解決するための手段】
上記の目的を達成するために、本発明では、灯具ハウジング内に複数のバルブを配置し、灯具ハウジングの前面開口に所定のカットが施されたインナーレンズ及びアウターレンズを装着するようにした。
【０００８】
具体的には、請求項１の発明では、前面に開口を有する灯具ハウジングと、灯具ハウジング内に配置される複数のバルブと、前記バルブからの光を前記灯具ハウジングの前面開口方向に向けて反射させるリフレクタと、前記前面開口に取着されるインナーレンズ及びアウターレンズとを備え、前記インナーレンズにリフレクタからの反射光を一方向に集光する第１カットを施し、前記アウターレンズに前記インナーレンズにより集光された光をその集光方向と直交する方向に拡散する第２カットを施した構成とする。
【０００９】
このことにより、各バルブからの光はインナーレンズにより所定の方向に集光された光とされ、この光をアウターレンズにより拡散することとなり、高い照度を確保しつつ均一に分散することができる。
【００１０】
また、インナーレンズとアウターレンズとによる二重構造により、消灯時においても内部のバルブが透き通って見えることがなく、高品質感を与えることができる。
【００１１】
請求項２の発明では、請求項１の発明において、前記灯具ハウジングの前面開口は略長方形状で複数のバルブを前記前面開口の長手方向に離間して配置されてなる構成とする。
【００１２】
この発明により、略長方形状の前面開口のレンズ面から照射される光の照度分布をより均一にすることができる。
請求項３の発明では、請求項１又は２の発明において、インナーレンズに施される第１カットがリフレクタからの反射光を複数のバルブを結ぶ直線方向に集光するよう構成されるものとする。
【００１３】
この発明により、離間して配置された複数のバルブからの光を一直線上に集光することにより、各バルブの光が連続した単一の光の如く形成することができ、アウターレンズによる拡散により均一な照度分布を達成することができる。
【００１４】
請求項４の発明では、請求項１、２又は３の発明において、バルブのフィラメントがインナーレンズの第１カットにより集光される方向と直交する方向に配置されてなる構成とする。
【００１５】
この発明により、バルブから発光される光の照射方向がインナーレンズによる集光方向と一致することになり、インナーレンズによる集光を効果的に行うことができる。
【００１６】
【発明の実施の形態】
以下、本発明の実施形態を図面に基づいて説明する。図１は本発明の実施形態に係る室内灯の分解斜視図であり、図２は一部破断平面図、図３は図２におけるＡ−Ａ線に沿う縦断面図、図４は図２におけるＢ−Ｂ線に沿う横断面図、図５は図２におけるＣ−Ｃ線に沿う横断面図である。
【００１７】
灯具ハウジング１は樹脂により成形され、平面視で略長方形状をなしその長手方向両側部において前方に膨出する両膨出部２ａ，２ｂと、この両膨出部２ａ，２ｂの間に形成される連続した２つの凹曲面部２ｃ，２ｄとが一体に形成されたカバー部材２と、カバー部材２の裏面側にビス４により固定されカバー部材２の裏面を閉塞する平板状の基板部材３とから構成される。
【００１８】
上記カバー部材２の両膨出部２ａ，２ｂの縁部２ａ´，２ｂ´と上記カバー部材２の縁部２ｅとにより後述のアウターレンズおよびインナーレンズが装着される前面開口５を構成する。
【００１９】
上記カバー部材２の一方の膨出部２ａの前面には、室内灯の点灯、消灯を操作するスイッチ６のノブ７が突出する開口８が形成されており、また、上記２つの凹曲面部２ｃ，２ｄには、それぞれバルブ９，１０が挿通される開口１１，１２が形成されるとともに、灯具ハウジング１自体を車体に固定するための取り付けボルト１３が挿通される取付穴１４が形成されている。
【００２０】
上記基板部材３には、上記スイッチ６がネジ１５により取り付けられ基板部材３をカバー部材２に取り付けることによってノブ７が上記の開口８から突出されるよう構成されている。
【００２１】
また、基板部材３には、その長手方向に間隔をあけて２つのバルブ９，１０がソケット１６，１７によって支持されて配置されており基板部材３をカバー部材２に取り付けることによって上記の開口１１，１２から突出されるよう構成されている。
【００２２】
また、上記カバー部材２の取付穴１４に対応した位置に取付穴１４の裏面に形成されたボスが挿通する挿通孔１８が形成されている。
上記カバー部材２の２つの凹曲面部２ｃ，２ｄの表面には、アルミ蒸着処理が施されこの表面がリフレクタとしての反射面２ｃ´，２ｄ´を構成し、バルブ９，１０からの光を灯具ハウジング１の前面開口５に向けて反射する。
【００２３】
上記２つのバルブ９，１０は上記のように基板部材３に支持され、凹曲面部２ｃ，２ｄに形成された開口１１，１２から突出して配置されることにより、灯具ハウジング１に対しその長手方向に所定の間隔をあけて配設された構成となり、また、上記２つの凹曲面部２ｃ，２ｄに対しそれぞれのほぼ中央に位置することにより灯具ハウジング１の前面開口５に対する照度の分布の均一化を図る上で有利な構成となる。
【００２４】
また、この実施形態においてはバルブ９，１０のフィラメント９ａ，１０ａが灯具ハウジング１の長手方向すなわち２つのバルブ９，１０を結ぶ直線方向と直交する線に平行となるよう配設されている。
【００２５】
一方、インナーレンズ２０およびアウターレンズ２１は光透過性樹脂で形成され、所定の間隙を存して重合した状態で上記灯具ハウジング１の前面開口５に装着される。
【００２６】
具体的には、インナーレンズ２０とアウターレンズ２１とは前面開口５に装着される前に予めそれぞれの両端縁に形成された突片部２０ａおよび２１ａにおいて溶着されて一体化されており、上記突片部２０ａおよび２１ａを上記カバー部材２の両膨出部２ａ，２ｂの縁部２ａ´，２ｂ´に形成された係止孔３０に係止するとともに、アウターレンズ２１の下縁に形成された係止片２１ｂを上記カバー部材２に形成された係合孔４０に係合することにより灯具ハウジング１の前面開口５に装着される。
【００２７】
上記インナーレンズ２０には各バルブ９，１０からの光及びリフレクタとしての反射面２ｃ´，２ｄ´からの光を一方向に集光する第１カット５０が施されている。
【００２８】
この第１カット５０は図６に示すようにインナーレンズ２０の内表面に内面方向に向けて突出する複数の三角形断面部５１がインナーレンズ２０の長手方向に連なる構成とされ、この断面はインナーレンズ２０の短手方向において連続する構成とされており、この三角形断面部５１にてバルブ９，１０からの光及びリフレクタとしての反射面２ｃ´，２ｄ´から反射される光をインナーレンズ２０の長手方向すなわち互いのバルブ９，１０を結ぶ直線方向に反射させる。
【００２９】
これによって、インナーレンズ２０の前面から照射される光は図７に示すようにバルブ９，１０を結ぶ直線方向に集光され２つのバルブ９，１０間が連続した単一の光に近似した光とされる。
【００３０】
一方、アウターレンズ２１には上記インナーレンズ２０により集光された光をインナーレンズ２０による集光方向と直交する方向に拡散する第２カット６０が施されている。
【００３１】
この第２カット６０は図８に示すようにアウターレンズ２１の内表面に内面方向に向けて膨出する複数の凸曲面形断面部６１がアウターレンズ２１の短手方向に連なる構成とされ、この断面がアウターレンズ２１の長手方向において連続する構成とされており、上記インナーレンズ２０を通過した光をアウターレンズ２１の短寸方向すなわちインナーレンズ２０による集光方向と直交する方向に拡散させる。
【００３２】
これによって、アウターレンズ１１の前面から照射される光は図９に示すように全面においてほぼ均一な照度で照射される。
なお、上記第１カット５０のピッチは第２カット６０ピッチより短いものとされている。
【００３３】
図中Ｃはスイッチ６及びバルブ９，１０を電源に電気接続するコードであり上記基板部材３の背面に沿わせて配設されている。
このコードＣに代えて電気回路を形成した回路基盤を基板部材３に重ね合わせて配設するようにしてもよい。
【００３４】
上記の実施形態においては、第１カット５０がバルブ９，１０からの光をバルブ９，１０を結ぶ直線方向に集光させるものとして構成されているが、この第１カット５０をバルブ９，１０を結ぶ直線方向に直交する方向に集光するよう上記複数の三角形断面部５１が連なる断面をバルブ９，１０を結ぶ直線方向に連続するよう形成してもよく、その場合には、第２カット６０を複数の凸曲面形断面部６１が連なる断面がバルブ９，１０を結ぶ直線方向に直交する方向に連続するよう形成することによりインナーレンズ２０によって集光された光を均一に分散することができる。
【００３５】
【発明の効果】
以上説明したように、請求項１の発明では、前面に開口を有する灯具ハウジングと、灯具ハウジング内に配置される複数のバルブと、前記バルブからの光を前記灯具ハウジングの前面開口方向に向けて反射させるリフレクタと、前記前面開口に取着されるインナーレンズ及びアウターレンズとを備え、前記インナーレンズにリフレクタからの反射光を一方向に集光する第１カットを施し、前記アウターレンズに前記インナーレンズにより集光された光をその集光方向と直交する方向に拡散する第２カットを施したことにより、各バルブからの光はインナーレンズにより所定の方向に集光した光とされ、この光をアウターレンズにより拡散することとなり、高い照度を確保しつつ均一に分散することができる。
【００３６】
また、インナーレンズとアウターレンズとによる二重構造により、消灯時においても内部のバルブが透き通って見えることがなく、高品質感を与えることができる。
【００３７】
請求項２の発明によると、前記灯具ハウジングは略長方形状で複数のバルブを灯具ハウジングの長手方向に離間して配置されてなるものとしたことにより、略長方形状の灯具ハウジングのレンズ面から照射される光の照度分布より均一にすることができる。
【００３８】
請求項３の発明によると、インナーレンズに施される第１カットがリフレクタからの反射光を複数のバルブを結ぶ直線方向に集光するよう構成されるものとしたことにより、離間して配置された複数のバルブからの光を一直線上に集光することができ、各バルブの光が連続した単一の光の如く形成することができ、アウターレンズによる拡散により均一な照度分布を達成することができる。
【００３９】
請求項４の発明によると、バルブのフィラメントがインナーレンズの第１カットにより集光される方向と直交する方向に配置されてなる構成とすることにより、バルブから発光される光のより照度の高い光がインナーレンズによる集光方向と一致することになり、インナーレンズによる集光を効果的に行うことができる。
【図面の簡単な説明】
【図１】  本発明の実施形態に係る室内灯の分解斜視図である。
【図２】  本発明の実施形態に係る室内灯の一部破断平面図である。
【図３】  図２のＡ−Ａ線断面図である。
【図４】  図２のＢ−Ｂ線断面図である。
【図５】  図２のＣ−Ｃ線断面図である。
【図６】  第１カットの断面図である。
【図７】  インナーレンズによる集光状態を示すインナーレンズの平面図である。
【図８】  第２カットの断面図である。
【図９】  アウターレンズによる拡散状態を示すアウターレンズの平面図である。
【符号の説明】
１    灯具ハウジング
２ｃ´，２ｄ´    反射面（リフレクタ）
９，１０    バルブ
９ａ，１０ａ    フィラメント
２０    インナーレンズ
２１    アウターレンズ
５０    第１カット
６０    第２カット
【図１】
0003951341.tif 000002
【図２】
0003951341.tif 000003
【図３】
0003951341.tif 000004
【図４】
0003951341.tif 000005
【図５】
0003951341.tif 000006
【図６】
0003951341.tif 000007
【図７】
0003951341.tif 000008
【図８】
0003951341.tif 000009
【図９】
0003951341.tif 000010